(57)【要約】【課題】互いに関連する意匠情報を効率的に表示すること。【解決手段】第一表示領域Ｄ１と第二表示領域Ｄ２とを含む画面Ｓを備える意匠情報表示装置１は、意匠に関する意匠情報を記憶する意匠情報ＤＢ２から意匠情報を検索する第一検索部１１と、第一検索部１１によって検索された意匠情報を第一表示領域Ｄ１に表示する第一表示部１２と、第一表示領域Ｄ１に表示された意匠情報のうちユーザによって選択された意匠情報に関連する意匠情報を意匠情報ＤＢ２から検索する第二検索部１４と、第二検索部１４によって検索された意匠情報を第二表示領域Ｄ２に表示する第二表示部１５と、を備え、第二検索部１４は、ユーザによって選択された意匠情報が関連意匠を有する本意匠を示す意匠情報である場合、関連する意匠情報として少なくとも当該関連意匠を示す意匠情報を検索する。【選択図】図１
2015069635.tif 000002
【特許請求の範囲】
【請求項１】
第一表示領域と第二表示領域とを含む画面を備える意匠情報表示装置であって、
意匠に関する意匠情報を記憶する意匠情報データベースから意匠情報を検索する第一検索手段と、
前記第一検索手段によって検索された意匠情報を第一表示領域に表示する第一表示手段と、
第一表示領域に表示された意匠情報のうちユーザによって選択された意匠情報に関連する意匠情報を前記意匠情報データベースから検索する第二検索手段と、
前記第二検索手段によって検索された意匠情報を第二表示領域に表示する第二表示手段と、
を備え、
前記第二検索手段は、ユーザによって選択された意匠情報が関連意匠を有する本意匠を示す意匠情報である場合、関連する意匠情報として少なくとも当該関連意匠を示す意匠情報を検索する、
意匠情報表示装置。
【請求項２】
前記第一表示手段は、関連意匠を有する本意匠を示す意匠情報については、関連意匠を有しない意匠を示す意匠情報とは異なる表示形式で表示する、
請求項１に記載の意匠情報表示装置。
【請求項３】
意匠情報は、当該意匠情報が示す意匠の図面を含み、
前記第一表示手段は、意匠情報を表示する際に、当該意匠情報に含まれる図面を少なくとも表示し、
前記第二表示手段は、意匠情報を表示する際に、当該意匠情報に含まれる図面を少なくとも表示する、
請求項１又は２に記載の意匠情報表示装置。
【請求項４】
意匠情報を印刷用の形式で出力する出力手段、
をさらに備え、
前記出力手段は、関連意匠を有する本意匠を示す意匠情報と当該関連意匠を示す意匠情報とをグループ化して出力する、
請求項１〜３の何れか一項に記載の意匠情報表示装置。
【請求項５】
第一表示領域に表示された意匠情報に関連意匠を有する本意匠を示す意匠情報が含まれるか否かを判定し、含まれると判定した場合、当該関連意匠を示す意匠情報を前記意匠情報データベースから検索する第三検索手段、
をさらに備え、
前記出力手段は、第一表示領域に表示された意匠情報と前記第三検索手段によって検索された意匠情報とを出力する、
請求項４に記載の意匠情報表示装置。
【請求項６】
前記出力手段は、第二表示領域に表示された意匠情報のうちユーザによって選択された意匠情報を出力する、
請求項４に記載の意匠情報表示装置。
【請求項７】
意匠情報は、当該意匠情報が示す意匠の図面を含み、
前記出力手段は、意匠情報を出力する際に、当該意匠情報に含まれる図面を少なくとも出力する、
請求項４〜６の何れか一項に記載の意匠情報表示装置。
【請求項８】
第一表示領域と第二表示領域とを含む画面を備える意匠情報表示装置により実行される意匠情報表示方法であって、
意匠に関する意匠情報を記憶する意匠情報データベースから意匠情報を検索する第一検索ステップと、
前記第一検索ステップにおいて検索された意匠情報を第一表示領域に表示する第一表示ステップと、
第一表示領域に表示された意匠情報のうちユーザによって選択された意匠情報に関連する意匠情報を前記意匠情報データベースから検索する第二検索ステップと、
前記第二検索ステップにおいて検索された意匠情報を第二表示領域に表示する第二表示ステップと、
を含み、
前記第二検索ステップは、ユーザによって選択された意匠情報が関連意匠を有する本意匠を示す意匠情報である場合、関連する意匠情報として少なくとも当該関連意匠を示す意匠情報を検索する、
意匠情報表示方法。
【請求項９】
第一表示領域と第二表示領域とを含む画面を備える意匠情報表示装置を、
意匠に関する意匠情報を記憶する意匠情報データベースから意匠情報を検索する第一検索手段と、
前記第一検索手段によって検索された意匠情報を第一表示領域に表示する第一表示手段と、
第一表示領域に表示された意匠情報のうちユーザによって選択された意匠情報に関連する意匠情報を前記意匠情報データベースから検索する第二検索手段と、
前記第二検索手段によって検索された意匠情報を第二表示領域に表示する第二表示手段、
として機能させ、
前記第二検索手段は、ユーザによって選択された意匠情報が関連意匠を有する本意匠を示す意匠情報である場合、関連する意匠情報として少なくとも当該関連意匠を示す意匠情報を検索する、
意匠情報表示プログラム。
【発明の詳細な説明】
【技術分野】
【０００１】
本発明は、知的財産である意匠に関する情報を表示する意匠情報表示装置、意匠情報表示方法及び意匠情報表示プログラムに関する。
【背景技術】
【０００２】
従来、特許庁が発行する意匠公報を表示する装置が知られている。例えば、下記特許文献１に記載の表示情報切替装置は、表示画面の分割された複数の領域それぞれに異なる意匠公報を表示する。
【先行技術文献】
【特許文献】
【０００３】
【特許文献１】特開平６−３４２４６１号公報
【発明の概要】
【発明が解決しようとする課題】
【０００４】
上述の表示情報切替装置では、複数の領域それぞれに表示される意匠公報は、１回の検索で検索された複数の意匠公報である。それゆえに、例えば、互いに関連する意匠公報を複数の領域それぞれに表示する場合、ユーザは、検索条件を工夫したり、所望の検索結果を得るまで検索を何度も繰り返したりする必要があり、ユーザにとって大きな作業負担となる。
【０００５】
そこで、本発明は、かかる課題に鑑みて為されたものであり、互いに関連する意匠情報を効率的に表示することができる意匠情報表示装置、意匠情報表示方法及び意匠情報表示プログラムを提供することを目的とする。
【課題を解決するための手段】
【０００６】
上記課題を解決するため、本発明に係る意匠情報表示装置は、第一表示領域と第二表示領域とを含む画面を備える意匠情報表示装置であって、意匠に関する意匠情報を記憶する意匠情報データベースから意匠情報を検索する第一検索手段と、第一検索手段によって検索された意匠情報を第一表示領域に表示する第一表示手段と、第一表示領域に表示された意匠情報のうちユーザによって選択された意匠情報に関連する意匠情報を意匠情報データベースから検索する第二検索手段と、第二検索手段によって検索された意匠情報を第二表示領域に表示する第二表示手段と、を備え、第二検索手段は、ユーザによって選択された意匠情報が関連意匠を有する本意匠を示す意匠情報である場合、関連する意匠情報として少なくとも当該関連意匠を示す意匠情報を検索する。
【０００７】
このような意匠情報表示装置では、意匠情報が検索されて第一表示領域に表示されると共に、第一表示領域に表示された意匠情報のうちユーザによって選択された意匠情報に関連する意匠情報がさらに検索されて第二表示領域に表示される。この構成によれば、第一表示領域と第二表示領域とに互いに関連する意匠情報を同時に表示することができる。すなわち、互いに関連する意匠情報を効率的に表示することができる。それにより、ユーザは、第一表示領域と第二表示領域とに表示された互いに関連する意匠情報を同時に確認することができるため、ユーザの利便性が向上する。また、第一表示領域には関連元の意匠情報が表示され、第二表示領域には関連元の意匠情報に関連する意匠情報が表示されるため、ユーザは第一表示領域と第二表示領域とを使い分けることができ、ユーザの利便性が向上する。また、ユーザは、選択する意匠情報を変更することで第二表示領域に表示される意匠情報を容易に変更することができるため、ユーザが所望する意匠情報を効率的に確認することができる。また、関連する意匠情報は、ユーザによる選択があった際に行われるため、例えば、最初の段階では関連する意匠情報の検索を省くことができ、それにより高速な意匠情報の検索を行うことができると共に、検索結果の意匠情報を一時的に記憶するためのメモリの容量を節約することができる。
【０００８】
さらに、このような意匠情報表示装置では、ユーザによって選択された意匠情報が、関連意匠を有する本意匠を示す意匠情報である場合、少なくとも当該関連意匠を示す意匠情報が検索されて第二表示領域に表示される。この構成によれば、第一表示領域に本意匠を示す意匠情報を表示すると共に、第二表示領域に関連意匠を示す意匠情報を表示することができる。すなわち、互いに関連する意匠情報を効率的に表示することができる。それにより、ユーザは、第一表示領域に表示された本意匠を示す意匠情報と、第二表示領域に表示された関連意匠を示す意匠情報とを同時に確認することができるため、ユーザの利便性が向上する。また、ユーザは、選択する本意匠の意匠情報を変更することで第二表示領域に表示する関連意匠の意匠情報を容易に変更することができるため、ユーザが所望する本意匠及び関連意匠の組み合わせの意匠情報を効率的に確認することができる。
【０００９】
また、本発明に係る意匠情報表示装置では、第一検索手段は、関連意匠を示す意匠情報を除く意匠情報を検索することとしてもよい。この構成によれば、例えば、第一表示領域には関連意匠を有しない意匠の意匠情報や、関連意匠を有する本意匠の意匠情報が表示され、第二表示領域には関連意匠等の関連する意匠情報が表示される。その場合、第一表示領域には互いに非類似である意匠の意匠情報が表示され、第二表示領域には互いに類似である意匠の意匠情報が表示される。これにより、ユーザは、意匠の類否判断を容易かつ効率的に行うことができる。また、この構成によれば、関連意匠を示す意匠情報の検索を省くことができ、それにより高速な意匠情報の検索を行うことができると共に、検索結果の意匠情報を一時的に記憶するためのメモリの容量を節約することができる。
【００１０】
また、本発明に係る意匠情報表示装置では、第一表示手段は、関連意匠を有する本意匠を示す意匠情報については、関連意匠を有しない意匠を示す意匠情報とは異なる表示形式で表示することとしてもよい。この構成によれば、ユーザは、関連意匠を有する本意匠を示す意匠情報と、関連意匠を有しない意匠を示す意匠情報とを容易に区別して確認することができ、ユーザの利便性が向上する。具体的には、例えば、ユーザは、異なる表示形式で表示された、関連意匠を有する本意匠を示す意匠情報の中から、選択する意匠情報を選ぶことができるため、選択する意匠情報を絞りこむことができる。また、例えば、ユーザは、関連意匠を有する本意匠を示す意匠情報と、関連意匠を有しない意匠を示す意匠情報との割合を、第一表示領域を確認するだけで容易に判断することができる。
【００１１】
また、本発明に係る意匠情報表示装置では、意匠情報は、当該意匠情報が示す意匠の図面を含み、第一表示手段は、意匠情報を表示する際に、当該意匠情報に含まれる図面を少なくとも表示し、第二表示手段は、意匠情報を表示する際に、当該意匠情報に含まれる図面を少なくとも表示することとしてもよい。この構成によれば、第一表示領域及び第二表示領域において、それぞれの意匠情報が示す意匠の図面が少なくとも表示される。ここで、意匠において、図面が果たす役割は非常に大きい。ユーザは、第一表示領域と第二表示領域とに表示された互いに関連する意匠情報の図面を同時に視覚的に容易に確認することができるため、ユーザの利便性が向上する。また、例えば、ユーザは、第一表示領域に表示された本意匠の図面と、第二表示領域に表示された関連意匠の図面とを同時に視覚的に容易に確認することができるため、ユーザの利便性が向上する。
【００１２】
また、本発明に係る意匠情報表示装置では、意匠情報を印刷用の形式で出力する出力手段、をさらに備え、出力手段は、関連意匠を有する本意匠を示す意匠情報と当該関連意匠を示す意匠情報とをグループ化して出力することとしてもよい。この構成によれば、本意匠の意匠情報と当該本意匠に類似する関連意匠の意匠情報とがグループ化されて印刷用の形式で出力される。従って、ユーザは、本意匠及び関連意匠の組み合わせを印刷物で視覚的に容易に確認することができるため、ユーザの利便性が向上する。
【００１３】
また、本発明に係る意匠情報表示装置では、第一表示領域に表示された意匠情報に関連意匠を有する本意匠を示す意匠情報が含まれるか否かを判定し、含まれると判定した場合、当該関連意匠を示す意匠情報を意匠情報データベースから検索する第三検索手段、をさらに備え、出力手段は、第一表示領域に表示された意匠情報と第三検索手段によって検索された意匠情報とを出力することとしてもよい。この構成によれば、第一表示領域に表示された本意匠に類似する関連意匠の意匠情報を確実に出力することができる。また、例えば、出力前の画面上での確認段階では、関連意匠を示す意匠情報を除く意匠情報を検索及び表示し、出力の段階になってから、関連意匠を示す意匠情報を検索及び出力することができるため、出力前の画面上での確認段階では高速な意匠情報の検索を行うことができると共に、検索結果の意匠情報を一時的に記憶するためのメモリの容量を節約することができる。
【００１４】
また、本発明に係る意匠情報表示装置では、出力手段は、第二表示領域に表示された意匠情報のうちユーザによって選択された意匠情報を出力することとしてもよい。この構成によれば、第一表示領域に表示された意匠情報のうちユーザによって選択された意匠情報に関連する意匠情報であり、かつ、その中からさらにユーザによって選択された意匠情報を出力することができるため、ユーザは、所望の関連する意匠情報を印刷物で視覚的に容易に確認することができ、ユーザの利便性が向上する。
【００１５】
また、本発明に係る意匠情報表示装置では、意匠情報は、当該意匠情報が示す意匠の図面を含み、出力手段は、意匠情報を出力する際に、当該意匠情報に含まれる図面を少なくとも出力することとしてもよい。この構成によれば、本意匠の図面と当該本意匠に類似する関連意匠の図面とがグループ化されて印刷用の形式で出力される。従って、ユーザは、本意匠の図面及び関連意匠の図面の組み合わせを印刷物で視覚的に容易に確認することができるため、ユーザの利便性が向上する。
【００１６】
ところで、本発明は、上記のように意匠情報表示装置の発明として記述できる他に、以下のようにそれぞれ意匠情報表示方法及び意匠情報表示プログラムの発明としても記述することができる。これはカテゴリが異なるだけで、実質的に同一の発明であり、同様の作用及び効果を奏する。
【００１７】
即ち、本発明に係る意匠情報表示方法は、第一表示領域と第二表示領域とを含む画面を備える意匠情報表示装置により実行される意匠情報表示方法であって、意匠に関する意匠情報を記憶する意匠情報データベースから意匠情報を検索する第一検索ステップと、第一検索ステップにおいて検索された意匠情報を第一表示領域に表示する第一表示ステップと、第一表示領域に表示された意匠情報のうちユーザによって選択された意匠情報に関連する意匠情報を意匠情報データベースから検索する第二検索ステップと、第二検索ステップにおいて検索された意匠情報を第二表示領域に表示する第二表示ステップと、を含み、第二検索ステップは、ユーザによって選択された意匠情報が関連意匠を有する本意匠を示す意匠情報である場合、関連する意匠情報として少なくとも当該関連意匠を示す意匠情報を検索する。
【００１８】
また、本発明に係る意匠情報表示プログラムは、第一表示領域と第二表示領域とを含む画面を備える意匠情報表示装置を、意匠に関する意匠情報を記憶する意匠情報データベースから意匠情報を検索する第一検索手段と、第一検索手段によって検索された意匠情報を第一表示領域に表示する第一表示手段と、第一表示領域に表示された意匠情報のうちユーザによって選択された意匠情報に関連する意匠情報を意匠情報データベースから検索する第二検索手段と、第二検索手段によって検索された意匠情報を第二表示領域に表示する第二表示手段、として機能させ、第二検索手段は、ユーザによって選択された意匠情報が関連意匠を有する本意匠を示す意匠情報である場合、関連する意匠情報として少なくとも当該関連意匠を示す意匠情報を検索する。
【発明の効果】
【００１９】
本発明によれば、互いに関連する意匠情報を効率的に表示することができる。
【図面の簡単な説明】
【００２０】
【図１】本発明の実施形態に係る意匠情報表示装置を含む意匠情報表示システムのシステム構成図である。
【図２】意匠情報データベースに記憶されているデータのテーブル例を示す図である。
【図３】本発明の実施形態に係る意匠情報表示装置のハードウェア構成を示す図である。
【図４】本発明の実施形態に係る意匠情報表示装置の画面例を示す図である。
【図５】第一表示領域の表示例を示す図である。
【図６】第一表示領域における本意匠を示す意匠情報を含む意匠情報の表示例を示す図である。
【図７】第二表示領域の表示例を示す図である。
【図８】第一表示領域内に第二表示領域を埋め込んだ表示例を示す図である。
【図９】本発明の実施形態に係る意匠情報表示装置で実行される処理（意匠情報表示方法）を示すフローチャートである。
【図１０】本発明の実施形態に係る意匠情報表示装置の変形例を含む意匠情報表示システムのシステム構成図である。
【図１１】本発明の実施形態に係る意匠情報表示装置の変形例の画面例を示す図である。
【図１２】出力されたファイル例を示す図である。
【図１３】本発明の実施形態に係る意匠情報表示装置の変形例で実行される処理（意匠情報出力方法）を示すフローチャートである。
【図１４】本発明の実施形態に係る意匠情報表示プログラムの構成を、記憶媒体と共に示す図である。
【発明を実施するための形態】
【００２１】
以下、図面とともに本発明による意匠情報表示装置、意匠情報表示方法及び意匠情報表示プログラムの好適な実施形態について詳細に説明する。なお、図面の説明においては同一要素には同一符号を付し、重複する説明を省略する。
【００２２】
図１は、本実施形態に係る意匠情報表示システム３のシステム構成図である。図１に示す通り、意匠情報表示システム３は、意匠情報表示装置１及び意匠情報ＤＢ２を含んで構成される。意匠情報表示装置１と意匠情報ＤＢ２とは、ネットワークによって互いに接続されており、互いに情報の送受信が可能である。なお、意匠情報表示装置１と意匠情報ＤＢ２とは物理的に離れた場所に存在していてもよいし、意匠情報ＤＢ２が意匠情報表示装置１の装置内に組み込まれていてもよい。
【００２３】
意匠情報表示装置１は、ユーザの指示や外部装置等からの指示等に基づいて、意匠に関する意匠情報を検索、表示及び出力するコンピュータ装置である。意匠情報表示装置１の詳細については後述する。
【００２４】
意匠情報ＤＢ２は、意匠に関する意匠情報を記憶する意匠情報データベースである。意匠情報ＤＢ２は、ネットワーク上のデータベース装置であってもよいし、意匠情報表示装置１内に組み込まれたデータベースであってもよいし、意匠情報表示装置１の（キャッシュ）メモリ上の設けられた論理的なデータベースであってもよい。本実施形態では、意匠情報の具体例として、意匠法第六十六条に則って日本の特許庁が発行する意匠公報に含まれる情報を採用する。意匠公報には、データ項目として、発行日、登録番号、登録日、意匠に係る物品、部分意匠、関連意匠の意匠登録番号、本意匠の意匠登録番号、本意匠に係る他の関連意匠の意匠登録番号、意匠分類、出願番号、出願日、創作者、意匠権者及び図面等が含まれる。これらのデータ項目のデータは、一般的には、図面以外はテキスト情報として、図面が画像情報として構成される。本実施形態において説明する意匠情報には、当該意匠情報が示す意匠の図面を少なくとも含んでいてもよい。なお、本実施形態では、意匠情報の具体例として意匠公報を採用したが、これに限定されるものではない。意匠情報は、意匠に関する情報であれば如何なる情報であってもよい。
【００２５】
図２は、意匠情報ＤＢ２に記憶されているデータのテーブル例を示す図である。図２に示す通り、意匠情報ＤＢ２では、意匠公報に含まれる登録番号、登録日、本意匠の意匠登録番号、意匠権者及び図面が、互いに関連付いて記憶されている。一つのテーブルレコード（すなわち、一つの意匠情報）において、各データ項目に対してデータが登録されてなくてもよいし、一つ以上のデータが登録されていてもよい。例えば、図１に示す、登録番号が「００００１」の意匠情報において、「本意匠の意匠登録番号」に対するデータは登録されていない。これは、当該意匠情報が示す意匠は、関連意匠（あるいは類似意匠）ではないことを示している。また、当該意匠情報において、「図面」に対するデータは二つ以上登録されている。なお、登録番号が「００００２」の意匠情報において、「本意匠の意匠登録番号」として「００００１」が登録されているため、登録番号が「００００２」の意匠情報は、登録番号が「００００１」の意匠情報が示す本意匠に類似する関連意匠を示す意匠情報であることを示している。ここで、本実施形態における関連意匠とは、意匠法第十条で規定されている、本意匠に類似する意匠を示す。
【００２６】
なお、意匠情報ＤＢ２に記憶されるデータは、図２に示すテーブル例に限定されるものではない。意匠情報ＤＢ２に記憶されるデータは、意匠公報に含まれるその他のデータ項目のデータを記憶してもよいし、意匠公報に限らず、意匠公報が発行されていない、あるいは発行されなかった意匠登録出願のデータ（例えば、出願前や審査中の意匠登録出願データや、審査段階において拒絶され、意匠公報として発行されなかった意匠登録出願データ）を記憶してもよいし、一般的な商用の意匠に関する検索システムが出力した意匠に関するデータを記憶してもよいし、ユーザが独自に作成したデータを記憶してもよい。例えば、意匠情報表示装置１又は意匠情報ＤＢ２は、データ登録手段（不図示）をさらに備え、データ登録手段が、ユーザにより入力された上記で挙げた様々なデータを追加で登録（記憶）してもよい。
【００２７】
図１に戻り、意匠情報表示装置１の詳細について説明する。図１において、意匠情報表示装置１の機能ブロック図を示す。図１に示す通り、意匠情報表示装置１は、第一入力部１０（第一入力手段）、第一検索部１１（第一検索手段）、第一表示部１２（第一表示手段）、第二入力部１３（第二入力手段）、第二検索部１４（第二検索手段）及び第二表示部１５（第二表示手段）を含んで構成される。
【００２８】
意匠情報表示装置１は、ＣＰＵ等のハードウェアから構成されているものである。図３は、意匠情報表示装置１のハードウェア構成の一例を示す図である。図１に示される意匠情報表示装置１は、物理的には、図３に示すように、ＣＰＵ１００、主記憶装置であるＲＡＭ１０１及びＲＯＭ１０２、画面（ディスプレイ）やキーボードやマウス等の入出力装置１０３、通信モジュール１０４、及び補助記憶装置１０５などを含むコンピュータシステムとして構成されている。
【００２９】
図１に示す意匠情報表示装置１の各機能ブロックの機能は、図３に示すＣＰＵ１００、ＲＡＭ１０１等のハードウェア上に所定のコンピュータソフトウェアを読み込ませることにより、ＣＰＵ１００の制御のもとで入出力装置１０３、通信モジュール１０４、及び補助記憶装置１０５を動作させるとともに、ＲＡＭ１０１におけるデータの読み出し及び書き込みを行うことで実現される。
【００３０】
まず、図４を用いて、意匠情報表示装置１が備える画面について説明する。図４は、意匠情報表示装置１の画面例を示す図である。図４に示す通り、意匠情報表示装置１は、画面Ｓを備え、画面Ｓは少なくとも第一表示領域Ｄ１と第二表示領域Ｄ２とを含む。第一表示領域Ｄ１及び第二表示領域Ｄ２には、後述の通り、意匠情報が表示される。
【００３１】
第一表示領域Ｄ１及び第二表示領域Ｄ２は、画面Ｓ上に設けられた矩形状の表示領域であり、それぞれ独自の位置に表示され、独自の大きさで表示される。なお、第一表示領域Ｄ１及び第二表示領域Ｄ２それぞれの位置や大きさは、ユーザの指示や意匠情報表示装置１における処理に基づいて、動的に変化してもよい。また、第一表示領域Ｄ１内の一部に第二表示領域Ｄ２が表示されてもよいし、第一表示領域Ｄ１上に重なるように第二表示領域Ｄ２が表示されてもよい。また、逆に、第二表示領域Ｄ２内の一部に第一表示領域Ｄ１が表示されてもよいし、第二表示領域Ｄ２上に重なるように第一表示領域Ｄ１が表示されてもよい。
【００３２】
図４に示す通り、意匠情報表示装置１が備える画面Ｓは、第一入力領域Ｉ１と第二入力領域Ｉ２とをさらに含む。第一入力領域Ｉ１は、ユーザが検索条件を入力し、意匠情報表示装置１に対して検索の指示を行うための入力領域であり、一般的な検索用のフィールド等から構成される。第二入力領域Ｉ２は、ユーザが意匠情報表示装置１に対して関連する意匠情報の検索の指示を行うために、関連元となる意匠情報を選択（入力）するための入力領域である。図４に示す通り、第二入力領域Ｉ２は、第一表示領域Ｄ１と同じ領域であり、第一表示領域Ｄ１に表示された各意匠情報についてユーザが選択可能となっている。なお、図４において、第二入力領域Ｉ２に表示されている意匠情報のうち、左上の意匠情報（丸の図面）が網掛けで表示されているが、これはこの網掛けで表示されている意匠情報がユーザによって選択されていることを示している。ユーザは、第二入力領域Ｉ２に表示されている意匠情報のうち、一つ以上の意匠情報を選択することができる。
【００３３】
第一入力領域Ｉ１及び第二入力領域Ｉ２は、第一表示領域Ｄ１及び第二表示領域Ｄ２と同様に、画面Ｓ上に設けられた矩形状の表示領域であり、それぞれ独自の位置に表示され、独自の大きさで表示される。また、第一入力領域Ｉ１及び第二入力領域Ｉ２それぞれの位置や大きさは、ユーザの指示や意匠情報表示装置１における処理に基づいて、動的に変化してもよい。
【００３４】
続いて、図１に示す意匠情報表示装置１の各機能ブロックについて、図４に示す画面Ｓに基づいた具体例と共に説明する。
【００３５】
第一入力部１０は、意匠情報に関する検索指示情報を入力する。検索指示情報は、ユーザによって入力されたものでもよいし、意匠情報表示装置１内に予め記憶されていた所定の検索条件でもよいし、他の装置から入力されたものでもよい。第一入力部１０は、入力した意匠情報に関する検索指示情報の一部又は全てを、後述の第一検索部１１に出力する。
【００３６】
図４に示す画面Ｓに基づいた具体例で説明すると、第一入力部１０は、第一入力領域Ｉ１においてユーザによって入力された意匠情報に関する検索条件や検索実行指示等の検索指示情報を入力する。意匠情報に関する検索条件の例としては、意匠公報における登録番号、登録日、意匠権者及び図面等の意匠公報に含まれるデータ項目に対する絞り込み条件が挙げられる。ユーザが、第一入力領域Ｉ１において、意匠情報に関する検索条件をテキストフィールドやドロップダウンリストやラジオボタンやチェックボックス等を利用して入力し、検索ボタンを押下することで、当該検索条件及び検索実行指示が第一入力部１０に入力される。
【００３７】
第一検索部１１は、意匠情報ＤＢ２から意匠情報を検索する。より具体的には、第一検索部１１は、第一入力部１０によって出力された意匠情報に関する検索指示情報を入力し、入力された検索指示情報に基づいて、意匠情報ＤＢ２から意匠情報を検索する。第一検索部１１は、意匠情報ＤＢ２に対する検索の処理については、一般的な情報検索技術を利用する。第一検索部１１は、検索結果、すなわち第一入力部１０によって入力された意匠情報に関する検索条件を満たす意匠情報を、後述の第一表示部１２及び第二検索部１４に出力する。第一検索部１１は、検索結果を意匠情報表示装置１内の（キャッシュ）メモリにさらに出力してもよい。
【００３８】
第一検索部１１は、関連意匠を示す意匠情報を除く意匠情報を検索してもよい。第一検索部１１は、意匠情報ＤＢ２に対して検索をする際に、関連意匠を示す意匠情報を除く旨の検索条件を追加することで、関連意匠を示す意匠情報を除く意匠情報を検索する。
【００３９】
意匠情報が関連意匠を示すか否かは、例えば、図２に示す意匠情報ＤＢ２に記憶されているデータのテーブル例で説明すると、データ項目「本意匠の意匠登録番号」が登録されているか否かで判定することができる。すなわち、データ項目「本意匠の意匠登録番号」が登録されていれば、当該意匠情報が関連意匠を示す意匠情報であると判定し、データ項目「本意匠の意匠登録番号」が登録されていなければ、当該意匠情報が関連意匠を示す意匠情報でないと判定することができる。また、例えば、意匠情報ＤＢ２に記憶されているデータに、当該意匠情報が関連意匠を示すか否かを示すフラグ値を予め登録しておき、当該フラグ値に基づいて意匠情報が関連意匠を示すか否かを判定してもよい。第一検索部１１又は意匠情報ＤＢ２は、以上の判定方法を利用して、関連意匠を示す意匠情報を除く意匠情報を検索してもよい。
【００４０】
第一表示部１２は、第一検索部１１によって検索された意匠情報を第一表示領域Ｄ１に表示する。より具体的には、第一表示部１２は、第一検索部１１によって出力された意匠情報を入力し、入力された意匠情報を所定の表示形式にて第一表示領域Ｄ１に表示する。第一表示部１２は、意匠情報を表示する際に、当該意匠情報に含まれる図面を少なくとも表示してもよい。
【００４１】
図４に示す画面Ｓに基づいた具体例で説明すると、第一入力領域Ｉ１においてユーザによって入力された検索指示情報に基づいて第一検索部１１によって検索された意匠情報が、第一表示部１２によって第一表示領域Ｄ１に表示される。図４に示す第一表示領域Ｄ１には、検索された各意匠情報について、当該意匠情報に含まれる一つの図面のみが表示されている。また、図４に示す第一表示領域Ｄ１には、検索された意匠情報のうち９つの意匠情報が表示されており、ユーザは、スクロールバーを利用してその他の検索された意匠情報を表示することができる。
【００４２】
図５は、第一表示領域Ｄ１のいくつかの表示例を示す図である。図５（ａ）は、図４に示した第一表示領域Ｄ１と同一であり、各意匠情報について、当該意匠情報に含まれる一つの図面が、碁盤の目状にｎ×ｍ（ｎ及びｍはそれぞれ１以上の整数）に配置されて表示されている表示例を示す図である。図５（ｂ）は、各意匠情報について、当該意匠情報に含まれる一つの図面とその他のデータ項目のテキスト情報とがセットで、碁盤の目状にｎ×ｍに配置されて表示されている表示例を示す図である。その他のデータ項目としては、意匠公報に含まれる発行日、登録番号、登録日、意匠に係る物品、関連意匠の意匠登録番号、本意匠の意匠登録番号、意匠分類、出願番号、出願日、創作者及び意匠権者等が挙げられる。図５（ｃ）は、各意匠情報について、当該意匠情報に含まれる図面以外のデータ項目のテキスト情報が、碁盤の目状にｎ×ｍに配置されて表示されている表示例を示す図である。第一表示部１２は、第一検索部１１によって検索された意匠情報を、上述のように様々な表示形式のうち一つの表示形式で第一表示領域Ｄ１に表示してもよい。どのような表示形式で表示するかについては、ユーザが指定してもよいし、予め定められていてもよい。また、第一表示部１２は、全ての意匠情報を同一の表示形式で表示せずに、一部あるいは全ての意匠情報を互いに異なる表示形式で表示してもよい。
【００４３】
第一表示部１２は、関連意匠を有する本意匠を示す意匠情報については、関連意匠を有しない意匠を示す意匠情報とは異なる表示形式で表示してもよい。図６は、第一表示領域Ｄ１における、本意匠を示す意匠情報を含む意匠情報の表示例を示す図である。図６（ａ）は、関連意匠を有する本意匠を示す意匠情報については、枠線で囲まれて表示されている表示例を示す図である。図６（ｂ）は、関連意匠を有する本意匠を示す意匠情報については、背景に色やパターン等が付加されて表示されている表示例を示す図である。第一表示部１２は、関連意匠を有する本意匠を示す意匠情報については、上述のように様々な表示形式のうち一つの表示形式で第一表示領域Ｄ１に表示してもよい。どのような表示形式で表示するかについては、ユーザが指定してもよいし、予め定められていてもよい。また、第一表示部１２は、全ての意匠情報を同一の表示形式で表示せずに、一部あるいは全ての意匠情報を互いに異なる表示形式で表示してもよい。
【００４４】
第二入力部１３は、第一表示領域Ｄ１（第二入力領域Ｉ２）に表示されている意匠情報のうち、ユーザによって選択された意匠情報の識別情報を入力する。識別情報の具体例としては、意匠情報ごとに割り当てられたＩＤや、意匠情報に含まれる当該意匠情報を一意に特定可能な情報（例えば、意匠公報における登録番号）が挙げられる。ユーザは、第一表示領域Ｄ１（第二入力領域Ｉ２）に表示されている意匠情報のうち、一つの意匠情報を選択してもよいし、複数の意匠情報を選択してもよい。それに対応するように、第二入力部１３は、一つの意匠情報の識別情報を入力してもよいし、複数の意匠情報の識別情報を入力してもよい。第二入力部１３は、入力された意匠情報の識別情報を後述の第二検索部１４に出力する。
【００４５】
図４に示す画面Ｓに基づいた具体例で説明すると、第二入力部１３は、第二入力領域Ｉ２においてユーザによって選択された意匠情報である左上の意匠情報（丸の図面）の識別情報を入力する。
【００４６】
第二検索部１４は、第一表示領域Ｄ１に表示された意匠情報のうちユーザによって選択された意匠情報に関連する意匠情報を意匠情報ＤＢ２から検索する。より具体的には、第二検索部１４は、第二入力部１３によって出力された意匠情報の識別情報を入力し、入力された意匠情報の識別情報と、関連する意匠情報に関する検索条件とに基づいて、意匠情報ＤＢ２から関連する意匠情報を検索する。第二検索部１４は、意匠情報ＤＢ２に対する検索の処理については、一般的な情報検索技術を利用する。上述の、関連する意匠情報に関する検索条件は、ユーザが指定したものでもよいし、意匠情報表示装置１に予め記憶されているものでもよい。また第二検索部１４は、関連する意匠情報を、意匠情報ＤＢ２からではなく、第一検索部１１によって検索された意匠情報や意匠情報表示装置１内の（キャッシュ）メモリに記憶された意匠情報から検索（抽出）してもよいし、意匠情報ＤＢ２と第一検索部１１によって検索された意匠情報と意匠情報表示装置１内の（キャッシュ）メモリに記憶された意匠情報とのうち少なくとも一つ以上から検索してもよい。また、第二検索部１４は、関連する意匠情報として、ユーザによって選択された意匠情報自体も含んだ意匠情報を検索してもよい。すなわち、関連する意匠情報には、関連元の意匠情報を含んでもよい。第二検索部１４は、検索結果である関連する意匠情報を、後述の第二表示部１５に出力する。
【００４７】
第二検索部１４は、ユーザによって選択された意匠情報が関連意匠を有する本意匠を示す意匠情報である場合、関連する意匠情報として少なくとも当該関連意匠を示す意匠情報を検索してもよい。例えば、ユーザによって選択された意匠情報が、図２に示すテーブル例のうち、登録番号が「００００１」の意匠情報であった場合、第二検索部１４は、登録番号が「００００２」の意匠情報（上述の通り、登録番号が「００００１」の意匠情報が示す本意匠の関連意匠を示す意匠情報）を少なくとも検索する。
【００４８】
なお、第二検索部１４が検索する「関連する意匠情報」は、関連意匠に限定されるものではない。例えば全体意匠に対する部分意匠であってもよいし、本意匠に対する類似意匠（旧意匠法第十条にて規定）であってもよいし、ユーザが独自に関連付けた情報であってもよい。
【００４９】
第二表示部１５は、第二検索部１４によって検索された意匠情報を第二表示領域Ｄ２に表示する。より具体的には、第二表示部１５は、第二検索部１４によって出力された関連する意匠情報を入力し、入力された関連する意匠情報を所定の表示形式にて第二表示領域Ｄ２に表示する。第二表示部１５は、意匠情報を表示する際に、当該意匠情報に含まれる図面を少なくとも表示してもよい。
【００５０】
図４に示す画面Ｓに基づいた具体例で説明すると、第二入力領域Ｉ２においてユーザによって選択された意匠情報（丸の図面を有する意匠情報）に基づいて第二検索部１４によって検索された関連する意匠情報（丸の図面を有する意匠情報、二重丸の図面を有する意匠情報、色塗りされた丸の図面を有する意匠情報等）が、第二表示部１５によって第二表示領域Ｄ２に表示される。図４に示す第二表示領域Ｄ２には、検索された各意匠情報について、当該意匠情報に含まれる一つの図面とその他のデータ項目のテキスト情報とがセットで表示されている。また、図４に示す第二表示領域Ｄ２には、検索された関連する意匠情報のうち３つの意匠情報が表示されており、ユーザは、スクロールバーを利用してその他の検索された意匠情報を表示することができる。
【００５１】
図７は、第二表示領域Ｄ２のいくつかの表示例を示す図である。図７（ａ）は、各意匠情報について、当該意匠情報に含まれる一つの図面が、碁盤の目状にｎ×ｍに配置されて表示されている表示例を示す図である。図７（ｂ）は、図４に示した第二表示領域Ｄ２と同一であり、各意匠情報について、当該意匠情報に含まれる一つの図面とその他のデータ項目のテキスト情報とがセットで、碁盤の目状にｎ×ｍに配置されて表示されている表示例を示す図である。図７（ｃ）は、各意匠情報について、当該意匠情報に含まれる図面以外のデータ項目のテキスト情報が、碁盤の目状にｎ×ｍに配置されて表示されている表示例を示す図である。
【００５２】
図８は、第一表示領域Ｄ１内に第二表示領域Ｄ２を埋め込んだ表示例を示す図である。図８（ａ）は、第二表示部１５による表示処理が行われる前の第一表示領域Ｄ１の状態を示す図である。一方、図８（ｂ）は、第二表示部１５による表示処理が行われた後の第一表示領域Ｄ１及び第二表示領域Ｄ２の状態を示す図である。図８に示す通り、第二表示部１５による表示処理が行われる前は、第二表示領域Ｄ２は画面Ｓ上に存在せずに（非表示）、第二表示部１５による表示処理が行われた後に、第二表示領域Ｄ２が第一表示領域Ｄ１内に（第一表示領域Ｄ１内に割って入るような形式で）動的に生成（表示）されてもよい。そして、図８（ｂ）に示す状態の後、ユーザが画面Ｓ内の第二表示領域Ｄ２以外の箇所を選択等することで、再び第二表示領域Ｄ２を非表示としてもよい。以上のように、第二表示部１５は、第一表示領域Ｄ１内に第二表示領域Ｄ２を動的に埋め込むことで、検索時のユーザの視線移動量が減り、ユーザの利便性が向上する。
【００５３】
第二表示部１５は、第二検索部１４によって検索された意匠情報を、上述のように様々な表示形式のうち一つの表示形式で第二表示領域Ｄ２に表示してもよい。どのような表示形式で表示するかについては、ユーザが指定してもよいし、予め定められていてもよい。また、第二表示部１５は、全ての意匠情報を同一の表示形式で表示せずに、一部あるいは全ての意匠情報を互いに異なる表示形式で表示してもよい。
【００５４】
続いて、図９に示すフローチャート図を用いて、本実施形態に係る意匠情報表示装置１における意匠情報表示方法の処理について説明する。
【００５５】
まず、第一入力部１０により、ユーザからの意匠情報の検索指示が入力される（ステップＳ１）。次に、第一検索部１１により、Ｓ１にて入力された検索指示に基づいて、意匠情報ＤＢ２から意匠情報が検索される（ステップＳ２、第一検索ステップ）。次に、第一表示部１２により、Ｓ２の検索結果が第一表示領域Ｄ１に表示される（ステップＳ３、第一表示ステップ）。
【００５６】
次に、第二入力部１３により、ユーザからの意匠情報の選択指示が入力される（ステップＳ４）。次に、第二検索部１４により、Ｓ４にて入力された選択指示に基づいて、意匠情報ＤＢ２から関連する意匠情報が検索される（ステップＳ５、第二検索ステップ）。次に、第二表示部１５により、Ｓ５の検索結果が第二表示領域Ｄ２に表示される（ステップＳ６、第二表示ステップ）。
【００５７】
続いて、意匠情報表示装置１の変形例について説明する。図１０は、意匠情報表示装置１の変形例である意匠情報表示装置１Ａを含む意匠情報表示システム３Ａのシステム構成図である。以降の意匠情報表示装置１Ａ及び意匠情報表示システム３Ａの説明では、意匠情報表示装置１及び意匠情報表示システム３との差分についてのみ説明し、同様の内容については説明を省略する。
【００５８】
図１０において、意匠情報表示装置１Ａの機能ブロック図を示す。図１０に示す通り、意匠情報表示装置１Ａは、意匠情報表示装置１が含む機能ブロックに加えて、第三検索部１６（第三検索手段）、第一出力部１７（出力手段）、第三入力部１８及び第二出力部１９（出力手段）を含んで構成される。
【００５９】
意匠情報表示装置１Ａは、意匠情報表示装置１と同様に、図３に示すハードウェア構成を備えるコンピュータシステムとして構成されている。
【００６０】
まず、図１１を用いて、意匠情報表示装置１Ａが備える画面について説明する。なお、図４が示す画面例との差分についてのみ説明する。図１１に示す通り、意匠情報表示装置１Ａが備える画面ＳＡは、意匠情報表示装置１が備える画面Ｓが含む各領域に加えて、第三入力領域Ｉ３をさらに含む。第三入力領域Ｉ３は、ユーザが意匠情報の出力に関する指示を入力するための入力領域であり、ボタン等から構成される。
【００６１】
第三入力領域Ｉ３は、画面ＳＡ上に設けられた矩形状の表示領域であり、独自の位置に表示され、独自の大きさで表示される。また、第三入力領域Ｉ３の位置や大きさは、ユーザの指示や意匠情報表示装置１における処理に基づいて、動的に変化してもよい。
【００６２】
続いて、図１０に示す意匠情報表示装置１Ａの各機能ブロックについて、図１１に示す画面ＳＡに基づいた具体例と共に説明する。
【００６３】
第三検索部１６は、第一表示領域Ｄ１に表示された意匠情報に関連意匠を有する本意匠を示す意匠情報が含まれるか否かを判定し、含まれると判定した場合、当該関連意匠を示す意匠情報を意匠情報ＤＢ２から検索する。具体的には、図２に示すテーブル例の意匠情報が第一表示領域Ｄ１に表示されている場合、第三検索部１６は、各意匠情報を順番に、関連意匠を有する本意匠を示す意匠情報か否かを判定する。例えば、第三検索部１６は、データ項目の「本意匠の意匠登録番号」が登録されておらず、かつ他の意匠情報のうち少なくとも一つの意匠情報がデータ項目の「本意匠の意匠登録番号」として自身の意匠情報のデータ項目である「登録番号」のデータが登録されている意匠情報を、関連意匠を有する本意匠を示す意匠情報として判定する。具体的には、図２のテーブル例における登録番号が「００００１」の意匠情報を、関連意匠を有する本意匠を示す意匠情報として判定し、登録番号が「００００２」の意匠情報を、関連意匠を有する本意匠を示す意匠情報ではない判定する。その他にも、第三検索部１６は、意匠情報に予め登録されている、本意匠か否かを示すフラグ値に基づいて、関連意匠を有する本意匠を示す意匠情報が含まれるか否かを判定してもよい。そして、第三検索部１６は、含まれると判定した場合、判定された本意匠の意匠情報の識別情報を取得し、取得された本意匠の意匠情報の識別情報に基づいて、意匠情報ＤＢ２（あるいは、第一検索部１１によって検索された意匠情報、意匠情報表示装置１内の（キャッシュ）メモリに記憶された意匠情報等）から当該本意匠の関連意匠を示す意匠情報を検索する。第三検索部１６は、意匠情報ＤＢ２に対する検索の処理については、一般的な情報検索技術を利用する。第三検索部１６は、検索結果である関連意匠を示す意匠情報を、後述の第一出力部１７に出力する。
【００６４】
第一出力部１７は、第一表示領域Ｄ１に表示された意匠情報と第三検索部１６によって検索された意匠情報とを印刷用の形式で出力する。具体的には、第一出力部１７は、第一表示領域Ｄ１に表示された意匠情報を入力すると共に、第三検索部１６によって出力された関連意匠を示す意匠情報を入力し、それらの意匠情報を組み合わせて印刷用の形式で出力する。ここで、印刷用の形式とは、Ａ４サイズ等の紙に意匠情報を印刷するための印刷命令や、一般的なワードプロセッサソフトウェアのマクロ機能が受け入れ可能な印刷用の文書を作成するための命令又はデータ等を示す。なお、第一出力部１７は、印刷用の形式で出力する代わりに、直接紙に印刷してもよいし、他の装置等に意匠情報を出力してもよい。また、第一出力部１７は、意匠情報を出力する際に、当該意匠情報に含まれる図面を少なくとも出力してもよい。
【００６５】
図１１に示す画面ＳＡに基づいた具体例で説明すると、第一表示領域Ｄ１に意匠情報が表示されている状態でユーザが第三入力領域Ｉ３における「全出力」ボタンを押下すると、まず、第三検索部１６によって、第一表示領域Ｄ１に表示された意匠情報に関連意匠を有する本意匠を示す意匠情報が含まれるか否かが判定され、含まれると判定された場合、当該関連意匠を示す意匠情報が意匠情報ＤＢ２から検索される。続いて、第一出力部１７によって、第一表示領域Ｄ１に表示された意匠情報と第三検索部１６によって検索された意匠情報とが印刷用の形式で出力される。
【００６６】
第一出力部１７は、関連意匠を有する本意匠を示す意匠情報と当該関連意匠を示す意匠情報とをグループ化して出力してもよい。図１２は、第一出力部１７（及び後述の第二出力部１９）によって出力された印刷用の形式に基づくファイル出力例を示す図である。図１２（ａ）は、各意匠情報について、当該意匠情報に含まれる一つの図面が、ファイルの垂直方向に並んで出力される例を示す図である。そして、関連意匠を有する本意匠を示す意匠情報と当該関連意匠を示す意匠情報とは、ファイルの水平方向に並んで出力されると共に、図１２（ａ）に示す通り枠線で囲まれてグループ化されて出力される。図１２（ｂ）は、各意匠情報について、当該意匠情報に含まれる一つの図面とその他のデータ項目のテキスト情報とがセットで、ファイルの垂直方向に並んで出力される例を示す図である。そして、関連意匠を有する本意匠を示す意匠情報と当該関連意匠を示す意匠情報とは、ファイルの水平方向に並んで出力されると共に、図１２（ｂ）に示す通り枠線で囲まれてグループ化されて出力される。図１２（ｃ）は、各意匠情報について、当該意匠情報に含まれる図面以外のデータ項目のテキスト情報が、ファイルの垂直方向に並んで出力される例を示す図である。そして、関連意匠を有する本意匠を示す意匠情報と当該関連意匠を示す意匠情報とは、ファイルの水平方向に並んで出力されると共に、図１２（ｃ）に示す通り枠線で囲まれてグループ化されて出力される。なお、図１２（ｃ）に示す通り、関連意匠を有する本意匠を示す意匠情報と当該関連意匠を示す意匠情報とがファイルの水平方向の一行に収まらない場合は、複数行にまたがってもよく、その場合は複数行にまたがった枠線で囲まれる。
【００６７】
第三入力部１８は、ユーザによって選択された意匠情報を入力する。図１１に示す画面ＳＡに基づいた具体例で説明すると、第二表示領域Ｄ２に意匠情報が表示されている状態でユーザが第三入力領域Ｉ３における「選択」ボタンを押下すると、第二表示領域Ｄ２に表示されている意匠情報が第三入力部１８に入力される。その後、ユーザが、第二表示領域Ｄ２に別の意匠情報を表示させて、第三入力領域Ｉ３における「選択」ボタンを再度押下すると、第二表示領域Ｄ２に表示されている当該別の意匠情報が追加で第三入力部１８に入力される。以後、ユーザは第二表示領域Ｄ２に表示される意匠情報を繰り返し更新し、「選択」ボタンを押下していくことで、第二表示領域Ｄ２に表示される複数の意匠情報を追加的に第三入力部１８に入力することができる。第三入力部１８は、入力された意匠情報を後述の第二出力部１９に出力する。
【００６８】
第二出力部１９は、第二表示領域Ｄ２に表示された意匠情報のうちユーザによって選択された意匠情報を印刷用の形式で出力する。具体的には、第二出力部１９は、第三入力部１８によって出力された意匠情報を入力し、入力された意匠情報を、第一出力部１７と同様に、印刷用の形式で出力する。図１１に示す画面ＳＡに基づいた具体例で説明すると、前述の通り、ユーザが第三入力領域Ｉ３における「選択」ボタンを一回以上押下後に、ユーザが第三入力領域Ｉ３における「選択出力」ボタンを押下すると、第二出力部１９は、それまでの「選択」ボタンの押下に基づいて第三入力部１８によって入力された意匠情報を出力する。
【００６９】
第二出力部１９は、意匠情報を出力する際に、当該意匠情報に含まれる図面を少なくとも出力してもよい。また、第二出力部１９は、第一出力部１７と同様に、関連意匠を有する本意匠を示す意匠情報と当該関連意匠を示す意匠情報とをグループ化して出力してもよい。
【００７０】
続いて、図１３に示すフローチャート図を用いて、本実施形態に係る意匠情報表示装置１Ａにおける意匠情報出力方法の処理について説明する。
【００７１】
図１３（ａ）は、第一出力部１７に基づく意匠情報出力方法を示すフローチャート図である。まず、意匠情報表示装置１Ａにより、第三入力領域Ｉ３における「全出力」ボタンの押下に基づくユーザの出力指示が入力される（ステップＳ１０）。次に、第三検索部１６により、第一表示領域Ｄ１に表示された意匠情報に関連意匠を有する本意匠を示す意匠情報が含まれるか否かが判定され、含まれると判定された場合、当該関連意匠を示す意匠情報が意匠情報ＤＢ２から検索される（ステップＳ１１）。次に、第一出力部１７により、第一表示領域Ｄ１に表示された意匠情報とＳ１１にて検索された意匠情報とが出力される（ステップＳ１２）。
【００７２】
図１３（ｂ）は、第二出力部１９に基づく意匠情報出力方法を示すフローチャート図である。まず、第三入力部１８により、第三入力領域Ｉ３における「選択」ボタンの押下に基づくユーザの選択指示が入力される（ステップＳ２０）。次に、意匠情報表示装置１Ａにより、第三入力領域Ｉ３における「選択出力」ボタンの押下に基づくユーザの出力指示が入力される（ステップＳ２１）。次に、第二出力部１９により、第二表示領域Ｄ２に表示された意匠情報のうちＳ２０にて選択された意匠情報が出力される（ステップＳ２２）。
【００７３】
引き続いて、上述した一連の意匠情報表示装置１及び意匠情報表示装置１Ａによる処理をコンピュータに実行させるための意匠情報表示プログラム４を説明する。図１４に示すように、意匠情報表示プログラム４は、コンピュータに挿入されてアクセスされる、あるいはコンピュータが備える記憶媒体６０に形成されたプログラム格納領域６１内に格納される。より具体的には、意匠情報表示プログラム４は、意匠情報表示装置１又は意匠情報表示装置１Ａが備える記憶媒体６０に形成されたプログラム格納領域６１内に格納される。
【００７４】
意匠情報表示プログラム４は、第一入力モジュール４０、第一検索モジュール４１、第一表示モジュール４２、第二入力モジュール４３、第二検索モジュール４４、第二表示モジュール４５、第三検索モジュール４６、第一出力モジュール４７、第三入力モジュール４８及び第二出力モジュール４９を備えて構成される（意匠情報表示装置１の場合は第三検索モジュール４６、第一出力モジュール４７、第三入力モジュール４８及び第二出力モジュール４９を除く。以下同様）。第一入力モジュール４０、第一検索モジュール４１、第一表示モジュール４２、第二入力モジュール４３、第二検索モジュール４４、第二表示モジュール４５、第三検索モジュール４６、第一出力モジュール４７、第三入力モジュール４８及び第二出力モジュール４９を実行させることにより実現される機能は、上述した意匠情報表示装置１及び意匠情報表示装置１Ａの第一入力部１０、第一検索部１１、第一表示部１２、第二入力部１３、第二検索部１４、第二表示部１５、第三検索部１６、第一出力部１７、第三入力部１８及び第二出力部１９の機能とそれぞれ同様である（意匠情報表示装置１の場合は第三検索部１６、第一出力部１７、第三入力部１８及び第二出力部１９を除く。以下同様）。
【００７５】
なお、意匠情報表示プログラム４は、その一部若しくは全部が、通信回線等の伝送媒体を介して伝送され、他の機器により受信されて記憶（インストールを含む）される構成としてもよい。また、意匠情報表示プログラム４の各モジュールは、１つのコンピュータでなく、複数のコンピュータのいずれかにインストールされてもよい。その場合、当該複数のコンピュータによるコンピュータシステムよって上述した一連の意匠情報表示プログラム４の処理が行われる。
【００７６】
次に、本実施形態のように構成された意匠情報表示装置１及び意匠情報表示装置１Ａの作用効果について説明する。
【００７７】
本実施形態の意匠情報表示装置１及び意匠情報表示装置１Ａによれば、第一表示領域Ｄ１と第二表示領域Ｄ２とに互いに関連する意匠情報を同時に表示することができる。すなわち、互いに関連する意匠情報を効率的に表示することができる。それにより、ユーザは、第一表示領域Ｄ１と第二表示領域Ｄ２とに表示された互いに関連する意匠情報を同時に確認することができるため、ユーザの利便性が向上する。また、第一表示領域Ｄ１には関連元の意匠情報が表示され、第二表示領域Ｄ２には関連元の意匠情報に関連する意匠情報が表示されるため、ユーザは第一表示領域Ｄ１と第二表示領域Ｄ２とを使い分けることができ、ユーザの利便性が向上する。また、ユーザは、選択する意匠情報を変更することで第二表示領域Ｄ２に表示される意匠情報を容易に変更することができるため、ユーザが所望する意匠情報を効率的に確認することができる。また、関連する意匠情報は、ユーザによる選択があった際に行われるため、例えば、最初の段階では関連する意匠情報の検索を省くことができ、それにより高速な意匠情報の検索を行うことができると共に、検索結果の意匠情報を一時的に記憶するためのメモリの容量を節約することができる。
【００７８】
また、本実施形態の意匠情報表示装置１及び意匠情報表示装置１Ａによれば、第一表示領域Ｄ１に本意匠を示す意匠情報を表示すると共に、第二表示領域Ｄ２に関連意匠を示す意匠情報を表示することができる。すなわち、互いに関連する意匠情報を効率的に表示することができる。それにより、ユーザは、第一表示領域Ｄ１に表示された本意匠を示す意匠情報と、第二表示領域Ｄ２に表示された関連意匠を示す意匠情報とを同時に確認することができるため、ユーザの利便性が向上する。また、ユーザは、選択する本意匠の意匠情報を変更することで第二表示領域Ｄ２に表示する関連意匠の意匠情報を容易に変更することができるため、ユーザが所望する本意匠及び関連意匠の組み合わせの意匠情報を効率的に確認することができる。
【００７９】
また、本実施形態の意匠情報表示装置１及び意匠情報表示装置１Ａによれば、第一検索部１１は、関連意匠を示す意匠情報を除く意匠情報を検索することとしてもよい。この構成によれば、例えば、第一表示領域Ｄ１には関連意匠を有しない意匠の意匠情報や、関連意匠を有する本意匠の意匠情報が表示され、第二表示領域Ｄ２には関連意匠等の関連する意匠情報が表示される。その場合、第一表示領域Ｄ１には互いに非類似である意匠の意匠情報が表示され、第二表示領域Ｄ２には互いに類似である意匠の意匠情報が表示される。これにより、ユーザは、意匠の類否判断を容易かつ効率的に行うことができる。また、この構成によれば、関連意匠を示す意匠情報の検索を省くことができ、それにより高速な意匠情報の検索を行うことができると共に、検索結果の意匠情報を一時的に記憶するためのメモリの容量を節約することができる。
【００８０】
また、本実施形態の意匠情報表示装置１及び意匠情報表示装置１Ａによれば、第一表示部１２は、関連意匠を有する本意匠を示す意匠情報については、関連意匠を有しない意匠を示す意匠情報とは異なる表示形式で表示することとしてもよい。この構成によれば、ユーザは、関連意匠を有する本意匠を示す意匠情報と、関連意匠を有しない意匠を示す意匠情報とを容易に区別して確認することができ、ユーザの利便性が向上する。具体的には、例えば、ユーザは、異なる表示形式で表示された、関連意匠を有する本意匠を示す意匠情報の中から、選択する意匠情報を選ぶことができるため、選択する意匠情報を絞りこむことができる。また、例えば、ユーザは、関連意匠を有する本意匠を示す意匠情報と、関連意匠を有しない意匠を示す意匠情報との割合を、第一表示領域Ｄ１を確認するだけで容易に判断することができる。
【００８１】
また、本実施形態の意匠情報表示装置１及び意匠情報表示装置１Ａによれば、意匠情報は、当該意匠情報が示す意匠の図面を含み、第一表示部１２は、意匠情報を表示する際に、当該意匠情報に含まれる図面を少なくとも表示し、第二表示部１５は、意匠情報を表示する際に、当該意匠情報に含まれる図面を少なくとも表示することとしてもよい。この構成によれば、第一表示領域Ｄ１及び第二表示領域Ｄ２において、それぞれの意匠情報が示す意匠の図面が少なくとも表示される。ここで、意匠において、図面が果たす役割は非常に大きい。ユーザは、第一表示領域Ｄ１と第二表示領域Ｄ２とに表示された互いに関連する意匠情報の図面を同時に視覚的に容易に確認することができるため、ユーザの利便性が向上する。また、例えば、ユーザは、第一表示領域Ｄ１に表示された本意匠の図面と、第二表示領域Ｄ２に表示された関連意匠の図面とを同時に視覚的に容易に確認することができるため、ユーザの利便性が向上する。
【００８２】
また、本実施形態の意匠情報表示装置１Ａによれば、意匠情報を印刷用の形式で出力する第一出力部１７又は第二出力部１９をさらに備え、第一出力部１７又は第二出力部１９は、関連意匠を有する本意匠を示す意匠情報と当該関連意匠を示す意匠情報とをグループ化して出力することとしてもよい。この構成によれば、本意匠の意匠情報と当該本意匠に類似する関連意匠の意匠情報とがグループ化されて印刷用の形式で出力される。従って、ユーザは、本意匠及び関連意匠の組み合わせを印刷物で視覚的に容易に確認することができるため、ユーザの利便性が向上する。
【００８３】
また、本実施形態の意匠情報表示装置１Ａによれば、第一表示領域Ｄ１に表示された意匠情報に関連意匠を有する本意匠を示す意匠情報が含まれるか否かを判定し、含まれると判定した場合、当該関連意匠を示す意匠情報を意匠情報ＤＢ２から検索する第三検索部１６をさらに備え、第一出力部１７は、第一表示領域Ｄ１に表示された意匠情報と第三検索部１６によって検索された意匠情報とを出力することとしてもよい。この構成によれば、第一表示領域Ｄ１に表示された本意匠に類似する関連意匠の意匠情報を確実に出力することができる。また、例えば、出力前の画面上での確認段階では、関連意匠を示す意匠情報を除く意匠情報を検索及び表示し、出力の段階になってから、関連意匠を示す意匠情報を検索及び出力することができるため、出力前の画面上での確認段階では高速な意匠情報の検索を行うことができると共に、検索結果の意匠情報を一時的に記憶するためのメモリの容量を節約することができる。
【００８４】
また、本実施形態の意匠情報表示装置１Ａによれば、第二出力部１９は、第二表示領域Ｄ２に表示された意匠情報のうちユーザによって選択された意匠情報を出力することとしてもよい。この構成によれば、第一表示領域Ｄ１に表示された意匠情報のうちユーザによって選択された意匠情報に関連する意匠情報であり、かつ、その中からさらにユーザによって選択された意匠情報を出力することができるため、ユーザは、所望の関連する意匠情報を印刷物で視覚的に容易に確認することができ、ユーザの利便性が向上する。
【００８５】
また、本実施形態の意匠情報表示装置１Ａによれば、意匠情報は、当該意匠情報が示す意匠の図面を含み、第一出力部１７又は第二出力部１９は、意匠情報を出力する際に、当該意匠情報に含まれる図面を少なくとも出力することとしてもよい。この構成によれば、本意匠の図面と当該本意匠に類似する関連意匠の図面とがグループ化されて印刷用の形式で出力される。従って、ユーザは、本意匠の図面及び関連意匠の図面の組み合わせを印刷物で視覚的に容易に確認することができるため、ユーザの利便性が向上する。
【００８６】
なお、本実施形態の意匠情報表示装置１及び意匠情報表示装置１Ａは、上述の構成に限定されるものではない。例えば、意匠情報表示装置１及び意匠情報表示装置１Ａは、第一表示部１２及び第二表示部１５によって表示される意匠情報に含まれる図面（代表図）を変更する表示図面変更手段（不図示）をさらに備えてもよい。一般的に、意匠情報である意匠公報に含まれる図面には、正面図、背面図、左側面図、右側面図、平面図、底面図、表面図、裏面図、展開図及び斜視図等の一つ以上の図面が含まれる。第一表示部１２及び第二表示部１５は、意匠情報の所定の図面（例えば、意匠公報の先頭の図面）を代表図として表示するが、表示図面変更手段によって変更（登録）された代表図を表示してもよい。具体的に、表示図面変更手段は、各意匠情報について、意匠情報に含まれる一つ以上の図面のうちユーザによって選択された図面を入力し、入力された図面を代表図に変更（登録）する（例えば、代表図を正面図から右側面図に変更する）。なお、表示図面変更手段は、ユーザによって選択された複数の図面（例えば、正面図と側面図）を入力し、当該入力された複数の図面を代表図に変更（追加登録）してもよい。その場合、第一表示部１２及び第二表示部１５は、表示図面変更手段によって代表図として変更された複数の図面を表示する。このような構成によれば、ユーザは、第一表示領域Ｄ１及び第二表示領域Ｄ２に表示する意匠情報の図面の種類や数を自由に変更することができるため、ユーザの利便性が向上すると共に、互いに関連する意匠情報をより効率的に表示することができる。
【００８７】
以上の通り、本実施形態の意匠情報表示装置１及び意匠情報表示装置１Ａにより、互いに関連する意匠情報を効率的に表示することができる。より具体的には、第一表示領域Ｄ１において非類似の図面を並べて表示し、第二表示領域Ｄ２において（本意匠と関連意匠等の）類似の図面を表示することができる。これにより、ユーザは意匠の類似範囲を視覚的に容易かつ効率的に確認することができ、意匠の類否判断を容易かつ効率的に行うことができる。
【符号の説明】
【００８８】
１，１Ａ…意匠情報表示装置、２…意匠情報ＤＢ、３，３Ａ…意匠情報表示システム、４…意匠情報表示プログラム、１０…第一入力部、１１…第一検索部、１２…第一表示部、１３…第二入力部、１４…第二検索部、１５…第二表示部、１６…第三検索部、１７…第一出力部、１８…第三入力部、１９…第二出力部、４０…第一入力モジュール、４１…第一検索モジュール、４２…第一表示モジュール、４３…第二入力モジュール、４４…第二検索モジュール、４５…第二表示モジュール、４６…第三検索モジュール、４７…第一出力モジュール、４８…第三入力モジュール、４９…第二出力モジュール、６０…記憶媒体、６１…プログラム格納領域、１００…ＣＰＵ、１０１…ＲＡＭ、１０２…ＲＯＭ、１０３…入出力装置、１０４…通信モジュール、１０５…補助記憶装置、Ｄ１…第一表示領域、Ｄ２…第二表示領域、Ｉ１…第一入力領域、Ｉ２…第二入力領域、Ｉ３…第三入力領域、Ｓ…画面。
【図１】
2015069635.tif 000003
【図２】
2015069635.tif 000004
【図３】
2015069635.tif 000005
【図５】
2015069635.tif 000006
【図６】
2015069635.tif 000007
【図９】
2015069635.tif 000008
【図１０】
2015069635.tif 000009
【図１３】
2015069635.tif 000010
【図１４】
2015069635.tif 000011
【図４】
2015069635.tif 000012
【図７】
2015069635.tif 000013
【図８】
2015069635.tif 000014
【図１１】
2015069635.tif 000015
【図１２】
2015069635.tif 000016